(57)【要約】【課題】  部品点数を少なくして部品の製造工程を減らし製造に要する総熱エネルギーを低減させるとともに廃棄物発生を抑えることで環境負荷を小さくでき、しかも、組み付けも容易で手間のかからない歯科用シリンジを安価に提供する。【解決手段】押圧ロッド２の雄ネジ部２ａとシリンダ３の雌ネジ部３ａを螺合させ、押圧ロッドを回転させてシリンダ内を前進させ、押圧ロッドの先端の中皿部２ｂによってシリンダの本体部内に収容された歯科用粘性材料がシリンダの先端開口から押し出されるようになっている歯科用シリンジであって、押圧ロッドとシリンダは、いずれも合成樹脂で一体成形されてなる。【選択図】  図１
2018082902.tif 000002
【特許請求の範囲】
【請求項１】
押圧ロッドの雄ネジ部とシリンダの雌ネジ部を螺合させ、前記押圧ロッドを回転させて前記シリンダ内を前進させ、前記押圧ロッドの先端の中皿部によって前記シリンダの本体部内に収容された歯科用粘性材料が前記シリンダの先端開口から押し出されるようになっている歯科用シリンジであって、
前記押圧ロッドと前記シリンダは、いずれも合成樹脂で一体成形されてなるものであることを特徴とする歯科用シリンジ。
【請求項２】
前記押圧ロッドと前記シリンダは、いずれも熱可塑性合成樹脂からなることを特徴とする請求項１記載の歯科用シリンジ。
【請求項３】
前記押圧ロッドと前記シリンダは、いずれも熱可塑性合成樹脂が射出成形されてなることを特徴とする請求項２記載の歯科用シリンジ。
【請求項４】
前記シリンダの先端部に装着されるキャップを備え、前記押圧ロッド、前記シリンダ、前記キャップが遮光性を有することを特徴とする請求項１、２または３記載の歯科用シリンジ。
【発明の詳細な説明】
【技術分野】
【０００１】
この発明は、歯科用シリンジに関するものである。さらに詳しくは、この発明は、歯科用光重合型ペースト状材料に例示される歯科用粘性材料を充填するのに適した歯科用シリンジに関するものである。
【背景技術】
【０００２】
歯牙の齲蝕部の充填に用いる歯科用光重合型コンポジットレジン、クラウンブリッジ用の歯科用光重合型硬質レジン等の歯科用光重合型ペースト状材料に例示される歯科用粘性材料の容器として歯科用シリンジが使用されている。
ここにおける歯科用粘性材料は、低粘度の状態から高粘度の状態のものが含まれる。
歯科用粘性材料を収容した歯科用シリンジとしては、ネジ式の押出ロッドを用いた図７に示すような構造のものが例示できる。
図７に示す歯科用シリンジ４１は、第１雌ネジ４２ａとこれと同一軸心の第２雌ネジ４２ｂを有するネジ蓋４２の第１雌ネジ４２ａと押圧ロッド４３の略全長に形成された雄ネジ４３ａを螺合させ、ネジ蓋４２の第２雌ネジ４２ｂとシリンダ４４の基端部外周面に形成されたネジ蓋固定用の雄ネジ４４ａを螺合させてシリンダ４４にネジ蓋４２を固定させ、押圧ロッド４３に連設したノブ４３ｂを手で回転させることで、押圧ロッド４３を回転させてシリンダ４４内を前進させ、押圧ロッド４３の先端に装着された中皿４５によってシリンダ４４内に収容された歯科用粘性材料Ｐがシリンダ４４の先端部のノズル４４ｂの開口から押し出されるようになっているものである。
図７（ｂ）に示されるように、歯科用粘性材料Ｐがノズル４４ｂの開口から押し出される際には、ノズル４４ｂに着脱可能に装着されたキャップ４６は取り外される。
このようなネジ式の押圧ロッドを用いた歯科用シリンジは、押圧ロッドの回転数に応じた量の歯科用粘性材料をノズルから押し出すことができることから、必要量の歯科用粘性材料を取り出すのに好適であって、とりわけ、高粘度の歯科用粘性材料を収容する歯科用シリンジに多用されている。
歯科用シリンジとしては、その他、例えば、特許文献１に記載のものが知られている。
【先行技術文献】
【特許文献】
【０００３】
【特許文献１】特開２０１０−１１９０７号公報
【発明の概要】
【発明が解決しようとする課題】
【０００４】
図７に示す歯科用シリンジは、シリンダ、ネジ蓋、押圧ロッド、中皿、キャップといった５点の部品を必要とする。これらの部品は、いずれも、通常、熱可塑性合成樹脂を射出成形することで得られるものであって、これらの部品に対応した数の成形金型を製作することが必要で費用が嵩み、得られた各部品の成形金型に溶融した熱可塑性合成樹脂をそれぞれ射出成形して各部品を製造することから手間がかかるとともに、射出成形に使用される総熱エネルギーも多くなり、また、射出成形により各部品を製造した際に発生するランナー等の樹脂は廃棄される場合があることから、廃棄する樹脂の量も多くなり、環境負荷が大きくなる。そして、部品点数が多いことから部品の管理や歯科用シリンジを組み付けるのにも手間がかかる。こういったことから、図７に示す歯科用シリンジは、高コストに繋がる。また、この歯科用シリンジのねじ蓋は使用時に緩む可能性があり、ねじ蓋が緩んだ場合には締め直さないと歯科用粘性材料の押し出しができなくなったりする恐れがあることから、使用に際しては注意を要し、煩雑である。
【０００５】
この発明は、上記のような実情に鑑み鋭意研究の結果創案されたものであり、部品点数を少なくして部品の製造工程を減らし、製造に要する総熱エネルギーを低減させるとともに廃棄物発生を抑えることで環境負荷を小さくすることができ、しかも、組み付けも容易で手間のかからない歯科用シリンジを安価に提供することを目的としている。
【課題を解決するための手段】
【０００６】
上記課題を解決するために、この発明は、（１）押圧ロッドの雄ネジ部とシリンダの雌ネジ部を螺合させ、前記押圧ロッドを回転させて前記シリンダ内を前進させ、前記押圧ロッドの先端の中皿部によって前記シリンダの本体部内に収容された歯科用粘性材料が前記シリンダの先端開口から押し出されるようになっている歯科用シリンジであって、前記押圧ロッドと前記シリンダは、いずれも合成樹脂で一体成形されてなるものであることを特徴とする。
（２）前記（１）において、前記押圧ロッドと前記シリンダは、いずれも熱可塑性合成樹脂からなることが好ましい。
（３）前記（２）において、前記押圧ロッドと前記シリンダは、いずれも熱可塑性合成樹脂の射出成形により成形されてなることが好ましい。
（４）前記（１）、（２）または（３）において、前記シリンダの先端部に装着されるキャップを備え、前記押圧ロッド、前記シリンダ、前記キャップが遮光性を有することが好ましい。
【発明の効果】
【０００７】
この発明は、以上説明したように構成されているので、以下に記載されるような効果を奏する。
すなわち、
前記（１）によれば、押圧ロッドが雄ネジ部と中皿部を備えたものとして合成樹脂で一体成形されており、シリンダが雌ネジ部を備えたものとして合成樹脂で一体成形されており、このため、従来の歯科用シリンジと比べ、部品点数を少なくすることができることから、部品の製造工程を減らすことおよび製造に要する総熱エネルギーを低減させるとともに廃棄物発生を抑えることができ環境負荷が小さく、しかも、部品の管理や組み付けも容易で手間がかからないことになり、ひいては、歯科用シリンジを安価に提供できることになる。また、シリンダは雌ねじ部を一体として有することから従来の歯科用シリンジのねじ蓋の如く使用中に緩む恐れがない。
前記（２）によれば、押圧ロッド、シリンダは熱可塑性合成樹脂からなることから、これらを安価に、ひいては歯科用シリンジを安価に提供することができる。
前記（３）によれば、押圧ロッドが雄ネジ部と中皿部を備えたものとして熱可塑性合成樹脂の射出成形によって一体成形されており、シリンダが雌ネジ部を備えたものとして熱可塑性合成樹脂の射出成形によって一体成形されており、このため、従来の歯科用シリンジと比べ、部品点数を少なくすること、すなわち、押圧ロッド用とシリンダ用の成形金型にそれぞれ熱可塑性合成樹脂を射出成形することで得られることから、成形金型の製作費用を抑制でき、部品の射出成形工程を減らすことおよび射出成形に要する総熱エネルギーを低減させるとともに廃棄物（例えば、ランナー）の発生を抑えることができ環境負荷が小さく、しかも、部品の管理や組み付けも容易で手間がかからないことになり、ひいては、歯科用シリンジを安価に提供できることになる。
前記（４）によれば、シリンジの本体部内に収容される歯科用粘性材料が光重合性の場合には、光硬化反応を抑えることができ、歯科用粘性材料の劣化等が防止され長期にわたり安定した品質を維持することができる。
【図面の簡単な説明】
【０００８】
【図１】この発明における歯科用シリンジの一実施の形態を示し、（ａ）は一部破断分解正面図、（ｂ）は押圧ロッドの左側面図である。
【図２】図１に示す歯科用シリンジを組み付けた状態を示す一部破断正面図である。
【図３】図１に示す歯科用シリンジに歯科用粘性材料が収容された状態の一部破断正面図で、（ａ）は使用開始前の状態、（ｂ）は使用中の状態、（ｃ）は歯科用粘性材料の押し出し終了状態を示す。
【図４】この発明の歯科用シリンジの他の実施形態を示す一部破断正面図である。
【図５】この発明の歯科用シリンジのさらに他の実施形態を示す一部破断正面図である。
【図６】この発明の歯科用シリンジのさらに他の実施形態を示す一部破断正面図である。
【図７】従来の歯科用シリンジを示し、（ａ）は一部破断分解正面図、（ｂ）は組み付けた状態を示す一部破断正面図である。
【発明を実施するための形態】
【０００９】
以下、この発明を実施するための形態を更に詳細に説明する。もちろんこの発明は以下の実施の形態によって限定されるものではない。
図１〜図３から明らかなように、この発明の一実施の形態の歯科用シリンジ１は、熱可塑性合成樹脂製であって、概略、押圧ロッド２の雄ネジ部２ａとシリンダ３の雌ネジ部３ａを螺合させ、押圧ロッド２を回転させてシリンダ３内を前進させ、押圧ロッド２の先端の中皿部２ｂによってシリンダ３の本体部３ｂ内に収容された歯科用粘性材料がシリンダ３の先端開口から押し出されるようになっている。
【００１０】
以下、より具体的に説明する。
シリンダ３は、シリンダ用の成形金型のキャビティ内に熱可塑性合成樹脂を射出することで、本体部３ｂと雌ネジ部３ａが一体に成形されたもので、歯科用粘性材料を収容する本体部３ｂの後方から本体部３ｂの内径よりやや大きな内径の雌ネジ部３ａが延設され、本体部３ｂの先端部は本体部３ｂの外径よりやや小さな外径のキャップ装着部３ｃとされているものである。本体部３ｂ、雌ネジ部３ａは同一軸線を有する。雌ネジ部３ａの外径はシリンダ３の強度、握り易さ、歯科用シリンジ１の操作性等を考慮して決定され、本体部３ｂよりやや大きな外径となっている。また、本体部３ｂの途中から雌ネジ部３ａにかけてはテーパー状となっており、本体部３ｂの補強、シリンダ３の握り易さ、歯科用シリンジ１の操作性等を向上させるようになっている。
【００１１】
キャップ４は、キャップ用の成形金型のキャビティ内に熱可塑性合成樹脂を射出することで成形したもので、キャップ装着部３ｃに着脱可能に装着できるようになっており、キャップ４の内径はキャップ装着部３ｃの外径と略同一となっている。
【００１２】
押圧ロッド２は、押圧ロッド用の成形金型のキャビティ内に熱可塑性合成樹脂を射出することで、中皿部２ｂ、前方ロッド部２ｃ、雄ネジ部２ａ、後方ロッド部２ｄ、ノブ２ｅが一体に成形されたもので、前方ロッド部２ｃの先端に中皿部２ｂを有し、前方ロッド部２ｃの後端に雌ネジ部３ａと螺合する雄ネジ部２ａを有し、雄ネジ部２ａの後端から後方ロッド部２ｄが延設され、後方ロッド部２ｄの後端には板状のノブ２ｅが連設されているものである。
中皿部２ｂの直径はシリンダ３の本体部３ｂの内径と略同一となっており、前方ロッド部２ｃの直径は中皿部２ｂの直径よりやや細径となっている。後方ロッド部２ｄの直径は、雌ネジ部３ａの内径よりやや小さくされている。中皿部２ｂ、前方ロッド部２ｃ、雄ネジ部２ａ、後方ロッド部２ｄは同一軸線を有する。
中皿部２ｂの側面位置には、図１（ｂ）に示すように略９０度毎の離間した４箇所に僅かな深さの切欠２ｆ、２ｆ、２ｆ、２ｆが押圧ロッド２の軸線方向と平行な方向に沿って形成されている。
これらの切欠２ｆは、押圧ロッド２を回転させてシリンダ３内を前進させ、押圧ロッド２の先端の中皿部２ｂによってシリンダ３の本体部３ｂ内に収容された歯科用粘性材料をシリンダ３の先端開口から押し出す際に、空気が中皿部２ｂと歯科用粘性材料の間に存在した場合、空気を前方ロッド部２ｃ側に逃がすために有用である。切欠２ｆは４箇所に限られないが、切欠２ｆから歯科用粘性材料が前方ロッド部２ｃ側に漏れ出てこないようにサイズが決定されている。
【００１３】
図１に示す歯科用シリンジ１の部品は、押圧ロッド２、シリンダ３、キャップ４の３点でよく、図７に示すような５点の部品で構成される従来の歯科用シリンジと比べ、部品点数を少なくすることができ、例えば、３点の部品の成形金型を用意すればよく成形金型の製作費用を抑制でき、また、熱可塑性合成樹脂をこれらの成形金型内に射出する成形工程でよく、射出成形の手間が少なくでき、射出成形に要する総熱エネルギーを低減させるとともにランナー等の廃棄物の発生を抑えることができ環境負荷が小さく、しかも、部品の管理や組み付けも容易で手間がかからないことになり、ひいては、歯科用シリンジを安価に提供できることになる。また、シリンダ３は雌ネジ部３ａを一体として有することから従来の歯科用シリンジのねじ蓋の如く使用中に緩む恐れがない。
【００１４】
シリンダ３、押圧ロッド２、キャップ４の射出成形に用いる熱可塑性合成樹脂としては、ポリプロピレン、ポリエチレン、ポリアミド、ポリアセタール等が例示できるが、これに限られるものではない。
これら熱可塑性合成樹脂のうち、ポリプロピレンは、適度な酸素透過性を有することから酸素の重合禁止効果が働き歯科用粘性材料の状態を安定して長期間維持でき、また、歯科用シリンジにとって必要な機械的強度を有し、安価であることから歯科用シリンジの材料として好適である。
シリンダ３の本体部３ｂに収容する歯科用粘性材料Ｐが光硬化性、例えば、歯科用光重合型コンポジットレジン等の場合は、歯科用シリンジ１、すなわち、押圧ロッド２、シリンダ３、キャップ４が遮光性であると、光硬化反応を抑えることができ、歯科用粘性材料Ｐの劣化等が防止され長期にわたり安定した品質を維持できることから好ましい。そのためには、例えば、カーボンブラックや遮光性の顔料等を混入した熱可塑性合成樹脂を射出成形することで、それぞれを一体成形すればよい。もちろん、遮光性のない、例えば、透明な熱可塑性合成樹脂を射出成形した後、遮光材でコーティングして遮光性を与えるようにしてもよい。
歯科用粘性材料Ｐが光硬化性を有しない場合は、歯科用シリンジ１が遮光性である必要はない。
【００１５】
シリンダ３と押圧ロッド２は、シリンダ３内に押圧ロッド２を中皿部２ｂ側から挿入し、雄ネジ部２ａを雌ネジ部３ａに螺合させるようにノブ２ｅを手で回転させることで、押圧ロッド２を前進させて組み付けることができる。
【００１６】
図３（ａ）は、押圧ロッド２の中皿部２ｂがシリンダ３の本体部３ｂにやや進入し、中皿部２ｂの前面が収容された歯科用粘性材料Ｐに接触し、押圧ロッド２の雄ネジ部２ａがシリンダ３の雌ネジ部３ａの後部と螺合し、キャップ４が取り外された使用開始前の状態を示す。歯科用粘性材料Ｐは本体部３ｂの先端開口にまで収容されている。
この状態から、ノブ２ｅを手で回転させて押圧ロッド２を前進させることで、中皿部２ｂが本体部３ｂの歯科用粘性材料Ｐを後方から押圧し、押圧ロッド２の前進量に応じて、先端開口から歯科用粘性材料Ｐが押し出される。
押し出された歯科用粘性材料Ｐは、歯科用スパチュラ等のインスツルメント（図示せず。）で分離して使用すればよい。
歯科用粘性材料Ｐが光重合型コンポジットレジン等の場合は、患者の歯科修復箇所に適用した後、重合用の光を照射することで重合硬化させることができる。
続けて使用しない場合は、キャップ４を装着すればよい。
キャップ４を取り外した状態において、ノブ２ｅを手で回転させて押圧ロッド２を前進させ、歯科用粘性材料Ｐを必要な量だけ先端開口から押し出し（図３（ｂ）参照）、押し出された歯科用粘性材料Ｐをインスツルメントにより分離する操作を繰り返すことで、図３（ａ）に示す使用開始前の状態から、図３（ｃ）に示す歯科用粘性材料を全て押し出した終了状態に至る。この状態においては、押圧ロッド２の雄ネジ部２ａの先端がシリンダ３の雌ネジ部３ａの先端に到達し、押圧ロッド２の回転が阻止され、中皿部２ｂは本体部３ｂの先端に達する。
シリンダ３の本体部３ｂの長さＲは、押圧ロッド２の中皿部２ｂの先端から前方ロッド部２ｃの後端（すなわち、雄ネジ部２ａの先端）までの長さＬと略等しく設定することが好ましい。また、シリンダ３の雌ネジ部３ａの長さＳは、押圧ロッド２の中皿部２ｂの先端から前方ロッド部２ｃの後端までの長さＬよりも長く設定されている。
【００１７】
歯科用シリンジ１に歯科用粘性材料Ｐを収容させるには、歯科用粘性材料を供給するパイプをシリンダ３の先端開口側から本体部３ｂ内に挿入するか、または、雌ネジ部３ａ側から本体部３ｂ内に挿入し、パイプから歯科用粘性材料Ｐを本体部３ｂ内に所定量供給することによって行えばよい。
【００１８】
図４は、この発明の歯科用シリンジの他の実施の形態を示す。
図４に示される歯科用シリンジ１１は、シリンダ１３の本体部１３ｂの先端部が、図１に示すシリンダ３の本体部３ｂのキャップ装着部３ｃのように小径とされないで、キャップ装着部１３ｃとされており、キャップ１４の内径がキャップ装着部１３ｃの外径に合った径となっている点等が図１に示す歯科用シリンジ１と相違するものである。その他は、図１に示す歯科用シリンジ１と同一であることから、詳細な説明は省略する。また、シリンダ１３の先端開口から歯科用粘性材料を押し出す操作等は、図１に示す歯科用シリンジ１と同様なことから詳細な説明は省略する。
【００１９】
図５は、この発明の歯科用シリンジのさらに他の実施の形態を示す。
図５に示される歯科用シリンジ２１は、ノブ２３を別体としたもので、ノブ２３は押圧ロッド２２の後方ロッド部２２ｄと着脱可能となっている。そのために、後方ロッド部２２ｄの後部を角柱状部２２ｇとし、ノブ２３にこれと嵌合する角柱状凹部２３ａを形成している。その他は、図１に示す歯科用シリンジ１と同一であることから、詳細な説明は省略する。また、歯科用シリンジ２１のシリンダ３の先端開口から歯科用粘性材料を押し出す操作等は、図１に示す歯科用シリンジ１と同様なことから詳細な説明は省略する。
【００２０】
図６は、この発明の歯科用シリンジのさらに他の実施の形態を示す。
図６に示される歯科用シリンジ３１は、押圧ロッド３２の雄ネジ部３２ａをノブ３２ｅにまで延長したものである。つまり、図１に示す押圧ロッド２の後方ロッド部２ｄに代え雄ネジ部３２ａとしたものである。その他は、図１に示す歯科用シリンジ１と同一であることから、詳細な説明は省略する。また、歯科用シリンジ３１のシリンダ３の先端開口から歯科用粘性材料を押し出す操作等は、図１に示す歯科用シリンジ１と同様なことから詳細な説明は省略する。
【００２１】
以上においては、歯科用シリンジは、熱可塑性合成樹脂を射出成形することで得られた押出ロッド、シリンダ、キャップを使用するものとして説明したが、これに限られず、三次元造形によって、押出ロッド、シリンダ、キャップを成形したものであってもよい。
押出ロッド、シリンダ、キャップの三次元造形による成形には、熱溶解積層法、光造形法、インクジェット法、プロジェクション法が採用できる。
これによれば、成形金型を必要としないことから、成形金型の費用がかからず、製造に要する熱エネルギーも少なく、不要となる樹脂等の廃棄量も少なく、環境負荷を小さくでき、しかも、組み付けも容易で手間がかからないことになる。
【００２２】
以上、歯科用シリンジは、熱可塑性合成樹脂製として説明したが、これに限られず、合成樹脂であればよく、熱硬化性合成樹脂を採用することもできる。
【符号の説明】
【００２３】
１  歯科用シリンジ
２  押圧ロッド
３  シリンダ
４  キャップ
【図１】
2018082902.tif 000003
【図２】
2018082902.tif 000004
【図３】
2018082902.tif 000005
【図４】
2018082902.tif 000006
【図５】
2018082902.tif 000007
【図６】
2018082902.tif 000008
【図７】
2018082902.tif 000009